(57)【特許請求の範囲】
【請求項１】
一定濃度のアルコールを一定量摂取した後、呼気中のアセトアルデヒド濃度の経時変化を測定し、アセトアルデヒド濃度の急激な上昇が見られた場合や、時間経過によるアセトアルデヒド濃度の減少度が小さい場合に、扁平上皮癌発生の危険度が高いと判定することを特徴とする扁平上皮癌発生危険度の簡易判定方法。
【請求項２】
一定濃度のアルコールを一定量摂取した後、呼気中のアセトアルデヒド濃度の経時変化を測定し、３０分以内にアセトアルデヒド濃度が１０ｎｍｏｌ以下にならないとき、扁平上皮癌発生の危険度が高いと判定する請求項１の扁平上皮癌発生危険度の簡易判定方法。
【請求項３】
呼気により扁平上皮癌発生の危険度を判定するための簡易判定用装置であって、少なくとも、
一定濃度のアルコールを一定量摂取した後の被験者からの呼気が導入される呼気導入部と
導入された呼気のアセトアルデヒド濃度を経時的に測定するアセトアルデヒド濃度測定部と
アセトアルデヒド濃度の経時的変化から扁平上皮癌発生の危険度を判定するための危険度判定部と
この判定のための指標を設定し、危険度判定部に伝える危険度指標設定部と、
危険度判定部からの判定結果を表示する判定表示部とを有し、
危険度指標設定部においては、アセトアルデヒド濃度が経時変化の過程で急激な上昇かもしくは所定の減少度より小さい減少度を示す場合に、危険度が高いとして指標設定されていることを特徴とする扁平上皮癌発生危険度の簡易判定用装置。
【請求項４】
３０分以内にアセトアルデヒド濃度が１０ｎｍｏｌ以下になることを所定の減少度とする請求項３の扁平上皮癌発生危険度の簡易判定用装置。
【発明の詳細な説明】
【０００１】
【発明の属する技術分野】
この出願の発明は、被験者の扁平上皮癌発生危険度を判定するための簡易判定方法とそのための判定用装置に関するものである。さらに詳しくは、この出願の発明は被験者の呼気中のアセトアルデヒド濃度の経時変化から、該被験者が扁平上皮癌を発生する危険度を判定する簡易判定方法と簡易判定装置に関するものである。
【０００２】
【従来技術とその課題】
癌による死者は、１９９０年には世界で約５２０万人であったが、２０１０年には、８００万人に近づくと推計されており（Pisani, P., Parkin, D.M., Bray, F., Ferlay, J., Int. J. Cancer 83, 18-29 (1999)）、日本国内でも２０００年に癌による死者の数は３０万人に近づいた（厚生労働省 平成１２年人口動態統計）。これは脳血管疾患による死者と心疾患による死者を合わせた人数よりも多い。また、部位別に見れば、気管・気管支および肺癌の人数が最も多く約５万４千人、次いで胃癌で５万人となっている。したがって、癌対策は世界的にも疾病対策において最重要課題の１つと位置づけられており、その治療薬や治療法についての研究が様々な角度からなされている。
【０００３】
最近の研究により、口腔・咽頭癌、食道癌、肺癌と喫煙の関係、皮膚癌と紫外線の関係等については、一般的に認識されるようになっている（例えば、国立がんセンター「がんの統計」'99）。また、近年では、飲酒が各種疾患に与える影響についても明らかになってきており、癌に関してもこれまでに、過度の飲酒により口腔・咽頭癌、食道癌の危険性が高まることが明らかにされている（例えば、H.K.Seitz, S.Matsuzaki, A.Yokoyama, N.Homann, S.Vakevainen, and X.D.Wang, Alcoholism: Clinical and Experimental Research, Vol.25, No.5, 2001; S.Franceschi, F.Levi, C.LaVecchia, E.Conti, L.DalMaso, L.Barzan, and R.Talamini, Int.J.Cancer 83, 1-4, 1999）。しかし、アルコールは古くから「百薬の長」などと称され、発癌との関係については一般的にあまり認知されていないのが実情である。
【０００４】
したがって、癌に対する国民の関心は高いものの、実際にどのような人がどのような健康管理をすればよいのかといった具体的な予防策については、現在のところ知られていないのが実情である。個人が癌発症の危険性が高い危険群に入るか否か知る手段、すなわち癌危険群を判定・診断する精度高い方法があれば、医師から患者への予防策の指導や本人の生活習慣の改善に対する意識も高まると期待される。
【０００５】
しかし、このような診断方法が煩雑な操作や被験者の苦痛を伴う場合、費用が高くなる場合、あるいは診断までに長期間を有する場合には、普及率が低くなることも考えられる。
【０００６】
この出願の発明は、以上のとおりの問題点を解決し、アルコールによる発癌の高危険群、とくに扁平上皮癌発生の高危険群を判定、診断するための簡便な方法を提供することを課題としている。
【０００７】
【課題を解決するための手段】
この出願の発明は、以上のとおりの課題を解決するものとして、第１には、一定濃度のアルコールを一定量摂取した後、呼気中のアセトアルデヒド濃度の経時変化を測定し、アセトアルデヒド濃度の急激な上昇が見られた場合や、時間経過によるアセトアルデヒド濃度の減少度が小さい場合に、扁平上皮癌発生危険度が高いと判定することを特徴とする扁平上皮癌発生危険度の簡易判定方法を提供する。
【０００８】
この出願の発明は、第２には、一定濃度のアルコールを一定量摂取した後、呼気中のアセトアルデヒド濃度の経時変化を測定し、３０分以内にアセトアルデヒド濃度が１０ｎｍｏｌ以下にならないとき、扁平上皮癌発生危険度が高いと判定する扁平上皮癌発生危険度の簡易判定方法を提供する。
【０００９】
また、第３には、この出願の発明は、呼気により扁平上皮癌発生の危険度を判定するための簡易判定用装置であって、少なくとも、
一定濃度のアルコールを一定量摂取した後の被験者からの呼気が導入される呼気導入部と
導入された呼気のアセトアルデヒド濃度を経時的に測定するアセトアルデヒド濃度測定部と
アセトアルデヒド濃度の経時的変化から扁平上皮癌発生の危険度を判定するための危険度判定部と
この判定のための指標を設定し、危険度判定部に伝える危険度指標設定部と、
危険度判定部からの判定結果を表示する判定表示部とを有し、
危険度指標設定部においては、アセトアルデヒド濃度が経時変化の過程で急激な上昇かもしくは所定の減少度より小さい減少度を示す場合に、危険度が高いとして指標設定されていることを特徴とする扁平上皮癌発生危険度の簡易判定用装置を提供する。
【００１０】
そして、この出願の発明は、第４には、３０分以内にアセトアルデヒド濃度が１０ｎｍｏｌ以下になることを所定の減少度とする前記の扁平上皮癌発生危険度の簡易判定用装置をも提供する。
【００１１】
【発明の実施の形態】
この出願の発明者らは、これまで、とくに頭頸部癌と食道癌を併発する多重癌患者を対象に発癌機構を研究してきた。そして、頭頸部癌と食道癌の両者を併発する患者の食道粘膜に健常者では見られない多発異型上皮が発生することを発見し、報告した（Muto et al. Gut. 2000 Aug; 47(2): 256-261）。
【００１２】
発明者らの鋭意研究によれば、このような多発異型上皮は多重癌患者の中でもアルコールを嗜好する患者にのみ見られることから、多発異型上皮癌と飲酒の関係が示唆された。ところが、アルコールを大量に摂取していても全く多発異型上皮が見られない患者も約２／３おり、さらにアルコール摂取量と多発異型上皮の発生にも関連性が見られなかった。
【００１３】
そこで、この出願の発明者は、患者のアルコール代謝能力に着目し、アルコール代謝に関わる二つの酵素、アルコール脱水素酵素（ＡＤＨ）とアルデヒド脱水素酵素（ＡＬＤＨ）の遺伝子多型を調べた。それぞれの酵素は遺伝子多型によって異なることが知られているが、発明者らは、これら２つの酵素の遺伝子多型の組み合わせにより、多発異型上皮の発生頻度が大きく異なることを見出した。
【００１４】
ヒトのアルコール脱水素酵素（ＡＤＨ）にはＡＤＨ１、ＡＤＨ２およびＡＤＨ３の３つの異性体が存在することが知られている。中でもＡＤＨ３には、アルコール代謝速度の速いＡＤＨ３−１アリルのホモ接合体（ＡＤＨ３＊１／３＊１）とアルコール代謝速度の遅いＡＤＨ３−２アリル（ＡＤＨ３＊１／３＊２およびＡＤＨ３＊２／３＊２）が存在する。（A.F.Olshan, M.C.Weissler, M.A.Watson and D.A.Bell; Carcinogenesis vol.22 no.1 pp.57-61, 2001）
一方、アルコール分解により生成されるアセトアルデヒドをさらに分解するアルデヒド脱水素化酵素（ＡＬＤＨ）では、アルデヒドが高濃度の際に働くＡＬＤＨ１と、低濃度のアルデヒドをも分解できるＡＬＤＨ２があることが知られている。
【００１５】
ＡＬＤＨ２遺伝子多型には、活性なＡＬＤＨ２−１アリル（ＡＬＤＨ２＊１／２＊１）と不活性なＡＬＤＨ２−２アリル（ＡＬＤＨ２＊１／２＊２およびＡＬＤＨ２＊２／２＊２）があり、飲酒により顔面が赤くなるなどのフラッシング反応が起こり易い人は、ＡＬＤＨ２−２アリルを有することが知られている。また、ＡＬＤＨ２−２アリルは、西洋人には見出されておらず、アジアの民族にのみ存在することが知られている。（H.K.Seitz, S.Matsuzaki, A.Yokoyama, N.Homann, S.Vakevainen, and X.D.Wang; Alcoholism: Clinical and Experimental Research, Vol.25, No.5）
この出願の発明者らは、重複癌患者において、ＡＤＨ３−２アリルとＡＬＤＨ２−２アリルの両方を有する患者の約８５％が多発異型上皮を有することを見出し、細胞染色体中のＡＤＨ３−２アリルおよびＡＬＤＨ２−２アリルを検出する多発扁平上皮癌危険群の判定方法を提供している。
【００１６】
このような判定方法は、非常に精度が高く、現在行われている「人間ドック」や「定期健康診断」などにおいて、癌検診の一項目として実施すれば社会的にも受け入れやすく、癌予防への一般の意識も向上すると考えられることから、非常に有用である。
【００１７】
しかし、実際の診断には、例えば内視鏡検査による咽喉や食道からの正常細胞の採取、末梢血リンパ球からのＤＮＡの抽出、ポリメラーゼ連鎖反応−制限断片長多型（ＰＣＲ−ＲＦＬＰ）等によるＡＤＨ３−２アリルとＡＬＤＨ２−２アリルの検出など複数のステップがあり、判定までに数日を要する。また、遺伝子診断用の分析装置が必要なため、診断費用も高くなり易く、小規模な医院や診療所で迅速に判定を行うことは難しい。さらに、多くの企業等は、一定年齢以上の従業員に対してのみ人間ドックや内視鏡検査を含む健康診断を実施しており、それ以下の年齢の者がこのような検診を受ける機会は実質的にあまりない。しかし、若年層の癌患者も増加しており、癌予防や生活習慣の改善は、年齢に関わらず重要な課題である。したがって、遺伝子検査を行うことなく、より簡便に扁平上皮癌危険群をスクリーニングする方法があれば、なお好ましいといえる。
【００１８】
発明者らは、頭頚部癌と食道癌を併発した患者にアルコール負荷させ、呼気中のアセトアルデヒド濃度を測定したところ、その値とＡＤＨ３およびＡＬＤＨ２の遺伝子多型の組み合わせに相関があることを見出し、本願発明に至ったものである。
【００１９】
すなわち、この出願の発明の扁平上皮癌発生危険度の簡易判定方法では、一定濃度のアルコールを一定量摂取した後、呼気中のアセトアルデヒド濃度の経時変化を測定し、アルデヒド濃度が急激に上昇するか、時間経過による減少度が小さい場合に、扁平上皮癌発生危険度が高いと判定する。
【００２０】
このような簡易判定方法では、予め被験者が摂取したアルコールが体内で分解され、アセトアルデヒドとなって呼気中に排出される。そのとき、アルコール摂取直後のアセトアルデヒド濃度の急激な上昇が見られる場合や、時間経過に伴うアセトアルデヒド濃度の減少度が小さい場合には、ＡＤＨ３−２アリルとＡＬＤＨ２−２アリルの両方を有すると判断できる。
【００２１】
発明者らの研究によれば、等量のアルコールを同じ時間かけて摂取した際の呼気中のアセトアルデヒド濃度は、被験者における遺伝子多型の組み合わせが、ＡＤＨ３−２（−）／ＡＬＤＨ２−２（−）、ＡＤＨ３−２（＋）／ＡＬＤＨ２−２（−）、ＡＤＨ３−２（−）／ＡＬＤＨ２−２（＋）、ＡＤＨ３−２（＋）／ＡＬＤＨ２−２（＋）の順に高くなる。後述の実施例からも明らかなように、その差は明確である。
【００２２】
したがって、基準値を設け、呼気中のアルデヒド濃度が該基準値以上となる場合、あるいは、一定時間内に基準値以下とならない場合に扁平上皮癌発生危険度が高いと判定すればよい。このような判定の基準値は、遺伝子多型の組み合わせが、ＡＤＨ３−２（−）／ＡＬＤＨ２−２（−）、ＡＤＨ３−２（＋）／ＡＬＤＨ２−２（−）、ＡＤＨ３−２（−）／ＡＬＤＨ２−２（＋）、ＡＤＨ３−２（＋）／ＡＬＤＨ２−２（＋）である被験者について、同条件下で網羅的に測定を行い、その結果を元に設定されることが好ましい。例えば、発明者らの研究結果に基づけば、６％アルコールを２００ｍｌ摂取した後、３０分経過後も呼気中のアセトアルデヒド濃度が１０ｎｍｏｌ以下にならない場合に、扁平上皮癌発生の危険度が高いと判定できる。もちろん、基準値は、被験者の年齢、性別、人種等に応じて適宜設定してもよい。
【００２３】
この出願の発明は、さらに、呼気中のアセトアルデヒド濃度から扁平上皮癌の危険度を判定するための簡易判定用装置をも提供する。このような簡易判定用装置は、図１に示すとおりの構成を有する。すなわち、少なくとも、
（ａ）一定濃度のアルコールを一定量摂取した後の被験者からの呼気が導入される呼気導入部と
（ｂ）導入された呼気のアセトアルデヒド濃度を経時的に測定するアセトアルデヒド濃度測定部と
（ｃ）アセトアルデヒド濃度の経時的変化から扁平上皮癌の危険度を判定するための危険度判定部と
（ｄ）この判定のための指標を設定し、危険度判定部に伝えるための危険度指標設定部と、
（ｅ）危険度判定部からの判定結果を表示する判定表示部
を有するものとする。また、このような簡易判定用装置において、（ｄ）の危険度指標設定部では、アセトアルデヒド濃度が経時変化の過程で急激に上昇する場合やアセトアルデヒド濃度の減少度が所定の値より小さい場合が「危険度が高い」ことの指標として設定されている。
【００２４】
この出願の発明の扁平上皮癌発生危険度の簡易判定用装置において、呼気は、被験者に一定濃度のアルコールを一定量摂取させた後、例えばガスサンプリング用の市販のサンプルバッグに息を吹き込ませて採取できる。あるいは、簡易判定用装置の呼気導入部が直接息を吹き込めるようなマウスピースを有する場合には、該マウスピースに口を当てて被験者が息を吹き込んでもよい。このとき、採取される呼気の量はとくに限定されない。被験者に大きな負担を強いない程度の量であればよく、アセトアルデヒド濃度測定部の検出感度等に応じて適宜変更できる。
【００２５】
サンプルバッグに呼気を採取する場合には、この出願の発明の簡易判定用装置における呼気導入部（ａ）は、シリンジでサンプルバッグから呼気を抜き出し、該シリンジを差し込み、採取された呼気を注入できる差し込み注入口であってもよいし、活栓等を介してサンプルバッグを直接連結できるような構造を有するものであってもよい。一方、呼気を簡易判定用装置に直接吹き込む場合には、マウスピースは、口に含み息を吹き込むための細径のチューブやストローであってもよいし、口にあてて息を吹き込むフェイスマスクであってもよい。これらは衛生面からも取外し可能とし、殺菌消毒可能、あるいは使い捨てとすることが好ましい。もちろん、これらのサンプルバッグやマウスピースは、フィルター、活栓、一方弁等を有するものであってもよい。
【００２６】
導入された呼気は、次に、アセトアルデヒド濃度測定部（ｂ）に移送され、アセトアルデヒド濃度が経時的に測定される。このとき、呼気は、窒素、アルゴンなどの不活性ガス等をキャリアガスとして呼気導入部からアセトアルデヒド濃度測定部に移送されてもよいし、呼気がそのまま対流、拡散するものとしてもよい。このようなアセトアルデヒド濃度測定部は、アセトアルデヒドの濃度を測定できるものであれば、どのような構成、構造のものであってもよく、とくに限定されない。具体的には、Breath Gas Analyzerをアセトアルデヒド用に改良したもの、ガスクロマトグラフィー、ガス検知管、試薬塗布水晶張動子などが例示される。
【００２７】
Breath Gas Analyzerは、従来乳糖消化吸収障害や糖尿病性胃腸障害の診断に使用されており、呼気中の水素とメタンの濃度を測定する装置である。この検出部をアセトアルデヒド用に改良すれば、本願発明の簡易判定装置用のアセトアルデヒド濃度測定部（ｂ）として適用できる。一方、ガスクロマトグラフィーは、ステンレス製やガラス製のカラムに、モレキュラーシーブス、シリカゲル、多孔質樹脂ビーズなどの充填剤を充填し、ガスを流通させた際の各成分の吸・脱着速度の差によりガスを分離、分析、定量する方法であり、各種のカラムパックからアセトアルデヒドの分析に適当なものを選択できる。また、ガス検知管は、特定の試薬と気体の反応によって生じる色調変化をもとに濃度を分析する簡易法であり、黄→赤などの色調変化により、アセトアルデヒド濃度０．１ｐｐｍ〜２０ｐｐｍの測定範囲で１〜１０時間測定できるものなど多種多様のものが市販されている。ガス検知管は繰り返しの使用ができないため、毎回使い捨てになるが、測定範囲に応じた量の呼気が採取できるならば、簡便で有効な手段といえる。さらに、試薬塗布水晶張動子は、アセトアルデヒドと特異的に反応するシッフ塩基等の試薬を振動子の表面に塗布し、アセトアルデヒドが反応した場合に生じる発振周波数の変化を検出するものである。この出願の発明では、中でもアセトアルデヒド濃度測定部として、測定精度が高く、測定濃度範囲も広いガスクロマトグラフィーが好ましく用いられる。
【００２８】
以上のとおりのアセトアルデヒド濃度測定部（ｂ）における測定結果は、信号伝送手段により、電気信号等として危険度判定部（ｃ）に伝送される。そして、この危険度判定部（ｃ）において、アセトアルデヒド濃度の経時的変化から扁平上皮癌発生の危険度が判定される。
【００２９】
このような危険度判定部（ｃ）は、例えばコンピューターとすることができ、アセトアルデヒド濃度測定部（ｂ）で測定された呼気中のアセトアルデヒド濃度の経時変化の値を危険度指標設定部位（ｄ）に入力設定された指標と対比、判定できるものである。危険度指標設定部位（ｄ）に入力設定される危険度の指標は、遺伝子多型の組み合わせが、ＡＤＨ３−２（−）／ＡＬＤＨ２−２（−）、ＡＤＨ３−２（＋）／ＡＬＤＨ２−２（−）、ＡＤＨ３−２（−）／ＡＬＤＨ２−２（＋）、ＡＤＨ３−２（＋）／ＡＬＤＨ２−２（＋）である被験者について、同条件下で網羅的に測定を行い、その結果を元に設定できる。また、被験者の年齢、性別、人種等に応じて随時設定変更でき、とくに限定されない。
【００３０】
このような危険度指標設定部位（ｄ）では、アセトアルデヒド濃度が、経時変化の過程で急激な上昇や所定の減少度より小さな減少度を示す場合に、危険度が高いものと設定される。発明者らの鋭意研究によれば、６％アルコールを２００ｍｌ摂取した後、３０分経過後も呼気中のアセトアルデヒド濃度が１０ｎｍｏｌ以下にならない場合に、扁平上皮癌発生危険度が高いものと設定できる。
【００３１】
そして、この判定結果は、さらに、信号伝送手段により判定表示部（ｅ）に伝達され、表示される。このとき、判定表示部（ｅ）としては、液晶モニターやＣＲＴモニターのように、数値やグラフなどが画像として表示されるもの、スピーカーのように音声が出力されるもの、さらには、プリンターのように紙面に結果が印刷されるもの等が例示される。
【００３２】
以上のとおりの扁平上皮癌発生危険度の簡易判定用装置は、少なくとも以上のとおりの構成を有するものであるが、他にも被験者の呼気吹き込みを指示する音声、文字、信号、画像等を発する手段や測定進捗状況を被験者や操作担当者に示す表示手段等を有していても良い。このような簡易判定用装置は、各構成部を小型化することにより、移動や携帯が可能なものとすることができる。これにより上皮癌発生危険度を定量的に、現場で迅速かつ簡便に、精度高く測定することが可能となる。
【００３３】
【実施例】
＜実施例１＞
食後２時間以上経過した被験者７８人に、６％のアルコールを含有するグレープフルーツジュース２００ｍｌを１０分間かけて摂取させた。７８人中、２６人は、強いアルコール不耐性を示したため、検査に参加できなかった。
【００３４】
したがって、残りの５２人について、アルコール摂取前、摂取直後、１０分後、３０分後に呼気回収パックにて呼気を採取し、ガスクロマトグラフィー（カラム：ポラパック Q60/80 ガラスカラム 3mm×2m；GL Science社、検出器：FID、キャリアガス：ヘリウム、流量：40mlmin）により呼気１ｍｌ中のアセトアルデヒド濃度を分析した。
【００３５】
結果を図２に示した。
【００３６】
アルコール摂取前には全く検出されなかったアセトアルデヒドが、飲酒直後から検出されるようになった。また、遺伝子多型アリルの組み合わせにより、そのピーク値と１０分後、３０分後の値に差が見られた。
【００３７】
具体的には、遺伝子多型の組み合わせがＡＤＨ３−２（−）／ＡＬＤＨ２−２（−）、ＡＤＨ３−２（＋）／ＡＬＤＨ２−２（−）、ＡＤＨ３−２（−）／ＡＬＤＨ２−２（＋）、ＡＤＨ３−２（＋）／ＡＬＤＨ２−２（＋）の順にアセトアルデヒド濃度が高くなることが示された。
【００３８】
多発異型上皮の発生危険率も同様の順に有意に増加することから、呼気中のアセトアルデヒド濃度の測定により、扁平上皮癌の発生危険率を的確に予測できることが示された。また、多発癌の高危険群をも精度高く見出せることが示された。すなわち、図２に示したように、遺伝子多型の組み合わせがＡＤＨ３−２（−）／ＡＬＤＨ２−２（−）およびＡＤＨ３−２（＋）／ＡＬＤＨ２−２（−）では、３０分経過後の呼気中のアセトアルデヒド濃度が１０ｎｍｏｌ以下となり、扁平上皮癌の発生危険率が低いと判定できた。一方、遺伝子多型の組み合わせがＡＤＨ３−２（−）／ＡＬＤＨ２−２（＋）およびＡＤＨ３−２（＋）／ＡＬＤＨ２−２（＋）では、３０分経過後でも、呼気中のアセトアルデヒド濃度は１０ｎｍｏｌ以下とならない（両者ともに、５０ｎｍｏｌ以上を維持）ことから、扁平上皮癌の発生危険率が高いと判定することができた。
【００３９】
【発明の効果】
以上詳しく説明したとおり、この出願の発明により、被験者が扁平上皮癌発生の危険度を、呼気中のアルデヒド濃度を測定することにより診断できる簡便な判定方法と判定用装置が提供される。
【００４０】
このような扁平上皮癌発生危険度の判定方法は、遺伝子検査を必要とせず、短時間に定量的で非侵襲的な評価が可能な上、高価な遺伝子分析用の装置や煩雑な操作を必要としないことから、小規模の医院や診療所での導入も容易であり、社会に受け入れられやすく、癌予防の社会的関心を高めることが期待される。
【００４１】
また、本願の扁平上皮癌発生危険度の判定用装置により、簡便に扁平上皮癌発生の危険度が測定できるようになるだけでなく、小型化することにより携帯可能な簡易判定用装置が得られる。このような小型簡易判定装置により、あらゆる医療現場で迅速に扁平上皮癌発生危険度を判定することが可能となり、癌予防がより一般的に浸透すると期待される。
【００４２】
発癌の危険性が高いか否かを被験者自身が認識すれば、具体的で効果的な癌予防に取り組むことができるようになるため、本願発明の有用性は高い。
【図面の簡単な説明】
【図１】この出願の発明における扁平上皮癌発生危険度の簡易判定用装置の概要を示した概略図である。
【図２】この出願の発明の実施例において、アルコール摂取による呼気中のアセトアルデヒド濃度とＡＤＨ３およびＡＬＤＨ２の遺伝子多型の組み合わせの関係を示した図である。
【図１】
0003790792.tif 000002
【図２】
0003790792.tif 000003